(57)【要約】      （修正有）【課題】既存設置のロールホルダーに取り付けて、手をペーパー以外には触れることなく、片手で衛生的に繰り出し切断ができるロールペーパー繰出し切断用具を提供する。【解決手段】用具本体１０と補助体２０とからなり、用具本体は、ロールホルダー３０の蓋３２の上面に着脱可能に取り付けられる基板部１１、基板部の両側部に構成されロールホルダーの両側壁３１の上面に着座される一対の脚部１２、基板部の先端部に構成される切断歯部１３を備え、補助体は、頭部２１と頭部の下面から垂下する静電シート部２２を備え、頭部は、用具本体の位置決め用として、用具本体と背後の壁面との間に着脱自在に着座され、静電シート部は、ロールペーパー４０の制動用の部材として、ロール４１の背後から上方に繰り出されて前方に移動するペーパー４２に対して、ロールの背後の位置において静電接触する。【選択図】図１
0003233152.tif 000002
【実用新案登録請求の範囲】
【請求項１】
用具本体と補助体とからなり、前記用具本体は、ロールホルダーの蓋の上面に対して着脱可能に取り付けられる基板部と、該基板部の両側部に構成されて前記ロールホルダーの両側壁の上面に対して着座される一対の脚部と、前記基板部の先端部に構成される切断歯部とを少なくとも備え、前記補助体は、頭部と該頭部の下面から垂下して取り付けられた静電シート部とを備え、前記頭部は、前記用具本体の位置決め用の部材として、用具本体と背後の壁面との間に着脱自在に着座され、前記静電シート部は、ロールペーパーの制動用の部材として、ロールの背後から上方に繰り出されて前方に移動するペーパーに対して、前記ロールの背後の位置において静電接触するように構成したことを特徴とするロールペーパー繰出し切断用具。
【請求項２】
用具本体の基板部の後部と前部とに、繰り出されてきたペーパーを幅方向に亘って下から支持して制動する第１支持部と第２支持部とを突出状態にして構成し、これによって前方に移動してくるペーパーを第１支持部と第２支持部とで２点支持する構成としてあることを特徴とする請求項１に記載のロールペーパー繰出し切断用具。
【請求項３】
基板部の後部に構成される第１支持部は、繰り出されてくるペーパーに対して下から接する部分を摩擦材で構成し、ペーパーの急激な繰り出しに対するブレーキの役割を果たすように構成してあることを特徴とする請求項２に記載のロールペーパー繰出し切断用具。
【請求項４】
基板部の前部に構成される第２支持部は、基板部自体を凸状に湾曲して構成すると共に、その前方の基板部の先端部を凹状に湾曲させてその先端に上向きの切断歯部を構成し、これによって前記第２支持部から前方の基板部部分が、ペーパー切断時にペーパーによる上からの負荷により下方に弾性変位し、切断後に復帰するように構成してあることを特徴とする請求項２又は３に記載のロールペーパー繰出し切断用具。
【請求項５】
切断歯部は、ペーパーの切断時に残留ペーパーの先端を櫛歯間に挟持する櫛歯状歯列からなることを特徴とする上記請求項１〜４の何れかに記載のロールペーパー繰出し切断用具。
【考案の詳細な説明】
【技術分野】
【０００１】
本考案はトイレ等のペーパーホルダーに取り付けられることで、ロールからペーパーを容易に繰り出し、切断して、使用に供することができるロールペーパー繰出し切断用具に関する。
【背景技術】
【０００２】
従来、トイレに設置されるロールペーパーは、トイレのロールホルダーにセットされ使用に供される。そして使用に際しては、セットされたロールからペーパーを繰り出し、繰り出したペーパーをロールホルダーの蓋の先端でカットするのが一般的である。
しかし、このようなロールホルダーを用いる場合には、ロールからペーパーを繰り出す際に必要以上のペーパーが繰り出されてしまったり、或いは繰り出すべきペーパーがロールに付着してスムーズに繰り出すことができなかったりする問題があった。
また繰り出したペーパーを切断する作業は、実際には、使用者が手でロールホルダーの蓋を抑えたりすることも必要となり、使用者が手をロールホルダーに触れることなく作業を行うことができないという、衛生上の問題もあった。
その他、身障者にとっては、片手だけで簡単にペーパーの繰り出しや切断作業ができないという問題もあった。
【先行技術文献】
【特許文献】
【０００３】
【特許文献１】特開２０００−８３８５７号公報
【特許文献２】特開２００４−２５４８２４号公報
【特許文献３】実用新案登録第３１２４４５５号公報
【考案の概要】
【考案が解決しようとする課題】
【０００４】
上記特許文献１、２に開示されたものは、片手でロールからペーパーを引き出すことが容易にできるが、一体成形品として構成されているため、既存のロールホルダーをそのまま利用することができない。
一方、上記特許文献３は、本願考案者が考案したものである。簡単に必要量を繰り出すことができ、片手での操作も可能で、既存のロールホルダーを利用することもできる。しかし構造が複雑となり、また製造コストの問題がある。
【０００５】
そこで本考案は上記従来技術の問題を解消し、既存設置のロールホルダーに容易に取り付けて使用することができ、またロールからのペーパーの繰り出し及びその切断を片手でも容易に行うことができ、加えてロールからペーパーが過剰に繰り出されたり、その反対に繰り出し難となったりすることが予防され、更に手をペーパー以外の部分には触れることなく、衛生的に繰り出し作業と切断作業ができるロールペーパー繰出し切断用具の提供を課題とする。
【課題を解決するための手段】
【０００６】
本考案のロールペーパー繰出し切断用具は、用具本体と補助体とからなり、前記用具本体は、ロールホルダーの蓋の上面に対して着脱可能に取り付けられる基板部と、該基板部の両側部に構成されて前記ロールホルダーの両側壁の上面に対して着座される一対の脚部と、前記基板部の先端部に構成される切断歯部とを少なくとも備え、前記補助体は、頭部と該頭部の下面から垂下して取り付けられた静電シート部とを備え、前記頭部は、前記用具本体の位置決め用の部材として、用具本体と背後の壁面との間に着脱自在に着座され、前記静電シート部は、ロールペーパーの制動用の部材として、ロールの背後から上方に繰り出されて前方に移動するペーパーに対して、前記ロールの背後の位置において静電接触するように構成したことを第１の特徴としている。
また本考案のロールペーパー繰出し切断用具は、上記第１の特徴に加えて、用具本体の基板部の後部と前部とに、繰り出されてきたペーパーを幅方向に亘って下から支持して制動する第１支持部と第２支持部とを突出状態にして構成し、これによって前方に移動してくるペーパーを第１支持部と第２支持部とで２点支持する構成としてあることを第２の特徴としている。
また本考案のロールペーパー繰出し切断用具は、上記第２の特徴に加えて、基板部の後部に構成される第１支持部は、繰り出されてくるペーパーに対して下から接する部分を摩擦材で構成し、ペーパーの急激な繰り出しに対するブレーキの役割を果たすように構成してあることを第３の特徴としている。
また本考案のロールペーパー繰出し切断用具は、上記第２又は第３の特徴に加えて、基板部の前部に構成される第２支持部は、基板部自体を凸状に湾曲して構成すると共に、その前方の基板部の先端部を凹状に湾曲させてその先端に上向きの切断歯部を構成し、これによって前記第２支持部から前方の基板部部分が、ペーパー切断時にペーパーによる上からの負荷により下方に弾性変位し、切断後に復帰するように構成してあることを第４の特徴としている。
また本考案のロールペーパー繰出し切断用具は、上記第１〜第４の何れかの特徴に加えて、切断歯部は、ペーパーの切断時に残留ペーパーの先端を櫛歯間に挟持する櫛歯状歯列からなることを第５の特徴としている。
【考案の効果】
【０００７】
請求項１に記載のロールペーパー繰出し切断用具によれば、用具本体はその基板部がロールホルダーの蓋の上面に取り付けられ、その一対の脚部がロールホルダーの両側壁の上面に着座される。また補助体は、その頭部が用具本体と背後の壁面との間に着座され、頭部の下面から垂下する静電シート部がロールの背後に垂れ下がった状態となる。ロールの背後から上方に繰り出されて用具本体の基板部の上を前方に移動されたペーパーは、切断歯部で切断されて使用に供される。
前記ロールの背後から上方に繰り出されるペーパーは、垂れ下がった静電シート部に静電接触しながら繰り出されることで、そのペーパーの過剰な動きが制動される。即ち、静電シート部との静電接触により、ペーパーが急激に且つ過剰に繰り出されるといったことが防止される。また一旦ロールから繰り出されたペーパーが元に繰り戻ってしまう不都合も、前記静電シート部との静電接触によって防止される。
またロールホルダーの蓋に取り付けられる用具本体は、その一対の脚部でロールホルダーの側壁の上面に着座するようにしているので、脚部の長さ分だけロールホルダーの蓋を上方に開いた状態に固定することができる。よって用具本体の位置を常に定位置に保持することができ、繰り出されてきたペーパーを常に良好な位置にある用具本体に導いて良好に切断することができる。勿論、ロールホルダーの蓋が上方に開いた状態に固定されることで、ロールの取り換え時においても、蓋に触ることなくワンタッチでロールを取り付けることができる。
【０００８】
請求項２に記載のロールペーパー繰出し切断用具によれば、上記請求項１に記載の構成による作用効果に加えて、用具本体の基板部の後部と前部とに、繰り出されてきたペーパーを幅方向に亘って下から支持して制動する第１支持部と第２支持部とを突出状態にして構成し、これによって前方に移動してくるペーパーを第１支持部と第２支持部とで２点支持する構成としてある。
よってロールの背後から上方に繰り出されてきたペーパーは、ロールホルダーの蓋の上に取り付けられた用具本体の基板部の後部にある第１支持部により先ず下方から幅方向に亘って支持され、更に用具本体の基板部の前部にある第２支持部により下方から幅方向に亘って支持された２点支持状態となって、安定した状態となり、その状態で前方の切断歯部で切断をすることができる。よって切断歯部での切断が安定し、良好に行うことができる。また切断後に残った用具本体上のペーパーも、第１支持部と第２支持部による２点支持によって安定してその場に保持されることができる。
【０００９】
請求項３に記載のロールペーパー繰出し切断用具によれば、上記請求項２に記載の構成による作用効果に加えて、基板部の後部に構成される第１支持部は、繰り出されてくるペーパーに対して下から接する部分を摩擦材で構成し、ペーパーの過剰な繰り出しに対するブレーキの役割を果たすように構成してある。
よってロールの背後から上方に繰り出されてきたペーパーは、用具本体の基板部の後部にある第１支持部の摩擦材に接することで、その繰り出しにブレーキがかけられる。これによって使用者がペーパーを強く引っ張った場合においても、ロールからペーパーの急激な繰り出が減じられ、適度な量の繰り出しを保証することができる。
【００１０】
請求項４に記載のロールペーパー繰出し切断用具によれば、上記請求項２又は３に記載の構成による作用効果に加えて、基板部の前部に構成される第２支持部は、基板部自体を凸状に湾曲して構成すると共に、その前方の基板部の先端部を凹状に湾曲させてその先端に上向きの切断歯部を構成し、これによって前記第２支持部から前方の基板部部分が、ペーパー切断時にペーパーによる上からの負荷により下方に弾性変位し、切断後に復帰するように構成してある。
ロールの背後から上方に繰り出されてきたペーパーは、第１支持部の他、凸状に湾曲させた第２支持部でも下から支持される。これによって使用者は第２の支持部により安定姿勢状態とされたペーパーを前方の切断歯部に当てがい、下方に押し下げることで、ペーパーをピンと張った状態で綺麗に切断することができる。
また第２支持部から前方の基板部分がペーパー切断時にペーパーによる上からの負荷により下方に弾性変位し、切断後に復帰するようにしているので、第２支持部と切断歯部との間で、切断時にはペーパーの緊張度が増して切断し易くなる。また切断後にはペーパーの緊張度が減少する結果、残ったペーパーの位置後退を防止することができ、次の使用時における使用者によるペーパー操作が容易となる。即ちペーパーが第２支持部より前の位置まで確実に残り、よって次の使用者は前記第２の支持部上に下から支持されているペーパーを上からつまむことで、ロールホルダー、用具本体、補助具等のペーパー以外のものに触れることなく、ペーパーを難なく繰り出し、切断して使用に供することができる。
【００１１】
請求項５に記載のロールペーパー繰出し切断用具によれば、上記請求項１〜４の何れかに記載の構成による作用効果に加えて、切断歯部は、ペーパーの切断時に残留ペーパーの先端を櫛歯間に挟持する櫛歯状歯列からなる。
よって残留ペーパーの先端を後退させることなく、切断歯部に保持することができ、次にロールペーパーを引き出す際に容易にペーパーを把持することができる。
【図面の簡単な説明】
【００１２】
【図１】本考案の実施形態に係るロールペーパー繰出し切断用具をロールホルダーに取り付けた状態を示す斜視図である。
【図２】本考案の実施形態に係るロールペーパー繰出し切断用具の用具本体を示す斜視図である。
【図３】本考案の実施形態に係るロールペーパー繰出し切断用具の補助体を示す斜視図である。
【図４】本考案の実施形態に係るロールペーパー繰出し切断用具が取り付けられるロールホルダーの例を示す斜視図である。
【図５】本考案の実施形態に係るロールペーパー繰出し切断用具の取り付け作業を説明する図である。
【図６】本考案の実施形態に係るロールペーパー繰出し切断用具の取り付け作業を説明する図である。
【図７】本考案の実施形態に係るロールペーパー繰出し切断用具にロールペーパーをセットする作業を説明する図である。
【図８】本考案の実施形態に係るロールペーパー繰出し切断用具によるロールペーパーをセットする作業を説明する図である。
【図９】本考案の実施形態に係るロールペーパー繰出し切断用具の使用を説明する図である。
【図１０】本考案の実施形態に係るロールペーパー繰出し切断用具の使用を説明する図である。
【考案を実施するための形態】
【００１３】
以下の図面を参照して、本考案の実施形態に係るロールペーパー繰出し切断用具を説明し、本考案の理解に供する。しかし、以下の説明は本考案の実用新案登録請求の範囲に記載の考案を限定するものではない。
【００１４】
図１〜図４を参照して、実施形態に係るロールペーパー繰出し切断用具は、用具本体１０と補助体２０とからなる。これらの用具本体１０と補助体２０は、ロールホルダー３０に取り付けられることで、ロールペーパー４０の繰り出しと切断を行う。
【００１５】
先ず図１、図４を参照して、用具本体１０と補助体２０とが取り付けられるロールホルダー３０を説明する。このロールホルダー３０はトイレに設置される典型的な一例である。
一対の側壁３１、３１、両側壁３１、３１間の上部に枢支された蓋３２、前記両側壁３１、３１の対向する内面に設けられたロール掛け３３、３３、背壁３４等からなる。ロールペーパー４０は前記ロール掛け３３、３３によって両側壁３１、３１間に保持される。そして前記蓋３２がロールペーパー４０に上面に当接した状態となる。
本考案のロールペーパー繰出し切断用具がない場合は、ロールペーパー４０からペーパーを繰り出し、蓋３２の先端縁で切断して使用に供することになる。この場合、蓋３２は枢支されているだけで、回動が自由となっている。従って使用者は、一方の手でペーパーを持ち他方の手で蓋３２を押さえて、切断することになる。即ち、使用者は両手を必要とし、且つロールホルダー３０の蓋３２に手を触れる必要が生じる。
本考案のロールペーパー繰出し切断用具がある場合は、ロールペーパー４０から繰り出されるペーパーは、背壁３４に沿って、蓋３２と背壁３４との隙間３５から上方に引き出され、用具本体１０に供される。
【００１６】
図１、図２を参照して、用具本体１０は、基板部１１、脚部１２、切断歯部１３を備えている。また第１支持部１４、第２支持部１５を構成している。
基板部１１は用具本体１０のメインの基板となる部分であり、ロールホルダー３０の蓋３２の上面に取り付けられる。
基板部１１は、蓋３２の湾曲具合に相異があってもそれに追従して湾曲できるようにした弾力性のある金属板若しくはプラスチックからなる。基板部１１の裏面には粘着剤が施されており、剥離紙を捲ることで、蓋３２の上面に粘着状態に取り付けることができる。勿論、必要に応じて取り外すことも可能とし、着脱自在としてある。基板部１１の幅は、蓋３２の幅よりも多少狭くし、また基板部１１の長さを蓋３２の長さよりも多少短くしている。
【００１７】
前記脚部１２は、基板部１１の両側部に一対構成されている。一対の脚部１２、１２はロールホルダー３０の両側壁３１、３１の上面に着座される。
脚部１２、１２を設けることで、脚部１２の長さだけロールホルダー３０の蓋３２を持ち上げた状態に固定することができる。これによって取り付けられた基板部１１の角度を所定の好ましい角度に定めることができる。即ち、ロールペーパー４０の繰り出し切断に適した角度を用具本体１０（基板部１１）に付与することができる。勿論、蓋３２も上方に退避回動した状態となるので、新しいロールペーパー４０の取り付け等に際しても支障をきたすことがない。
【００１８】
前記切断歯部１３は基板部１１の先端部に、その幅方向に亘って構成される。
切断歯部１３は、ペーパー４２の切断時に残留するペーパー４２の先端を櫛歯間に挟持する櫛歯状歯列から構成している。
【００１９】
前記第１支持部１４は、用具本体１０の基板部１１の後部の上面に、幅方向に長く、突出状態にして構成している。この第１支持部１４は、ロール４１から繰り出されてきたペーパー４２を幅方向に亘って下から支持して制動する。ここで制動とは、ペーパー４２の動きが適正となるように制するという意味とする。具体的には、ペーパー４２がよじれたりするのを防いで水平姿勢を保つようにペーパー４２の動き制すること、またペーパー４２が急激にロール４１から繰り出されたり繰り戻ったりすることが無いように動きを制することを含み、ペーパー４２を安定に繰り出すようにすることを意味する。
第１支持部１４は、繰り出されてきたペーパー４２に対して下から接する部分である頭部１４ａを摩擦材で構成している。摩擦材は、例えばゴムとすることができる。頭部１４ａを摩擦材で構成することで、使用者がペーパー４２を強く引っ張った場合においても、ロール４１からペーパー４２が急激に繰り出されることに対するブレーキの役割を果たし、繰り出しが抑制され、適度な量の繰り出しが保証される。
【００２０】
前記第２支持部１５は、用具本体１０の基板部１１の前部に、幅方向に長く、突出状態に構成している。これにより繰り出されてきたペーパー４２を、前記切断歯部１３の手前の位置において、幅方向に亘って下から支持し、制動することができる。これにより切断歯部１３に供給されるペーパー４２の向きや動きを、切断歯部１３の手前で再度、適正な状態に制御することができる。
第１支持部１４と第２支持部１５とを設けることで、ロール４１から基板部１１上に繰り出されてきたペーパー４２を、基板部１１の後部で先ず支持し、更に基板部１１の前部で支持するという２点支持の構成をなすことができる。これにより基板上１１を移動するペーパー４２を前後の２点で支持することができ、ペーパー４２を安定して切断歯部１３に導いて、切断に供することができる。
【００２１】
前記第２支持部１５は、基板部１１自体を凸状に湾曲させた構成としている。そして第２支持部１５は、蓋３２から前方に出た位置にあって、浮いた状態に構成されている。そして蓋３２から前方に出た第２支持部１５とその前にある切断歯部１３は、カンチレバー状態となって、上からの負荷により押されると、やや下方に弾性変位する。負荷が解消されると元の位置に復帰する。
前記切断歯部１３は、凸状に湾曲加工された第２支持部１５に続く前方の基板部１１を凹状に湾曲加工し、その上向きの先端に幅方向に亘って上向きに構成されている。切断歯部１３の位置は第２支持部１５の位置よりも少し低い位置となるように構成している。
【００２２】
図１、図３を参照して、補助体２０は頭部２１と静電シート部２２とからなる。
頭部２１は、前記用具本体１０の位置決め用の部材として、用具本体１０と背後にあるトイレ等の壁面Ｗ（図５〜図１０参照）との間に着脱自在に着座される。着座及び離脱は把持部２１ｂを持って行うことができる。
頭部２１の幅は、前記基板部１１と同程度の幅に構成し、頭部２１の下面の幅方向両側に垂下部として一対の脚２１ａ、２１ａを設け、その一対の脚２１ａ、２１ａで、前記ロールホルダー３０の一対の側壁３１、３１の上面に着脱自在に着座できるようにしている。
頭部２１の厚さは、蓋３２に取り付けられるべき用具本体１０の基板部１１の後端が少なくとも前記ロールホルダー３０の蓋３２と背壁３４との隙間３５より前の位置に位置決めされ、これによってロールホルダー３０の隙間３５から引き出されてきたペーパー４２が基板部１１上に適切に導かれることができるように、壁面Ｗとの間隔調整寸法として決めることができる。
【００２３】
前記静電シート部２２は、頭部２１の下面から垂下した状態に取り付けられて構成される。静電シート部２２は頭部２１の下面の一対の脚２１ａ、２１ａ間に取り付けられる。
静電シート部２２の幅は、前記ロールホルダー３０の蓋３２と背壁３４と隙間３５の幅より多少狭く構成して、その隙間３５に挿通できるようにしている。また静電シート部２２の長さは、前記ロールホルダー３０の側壁３１の縦方向寸法よりも多少長く構成している。
この静電シート部２２は、頭部２１がその脚２１ａでロールホルダー３０に着座されることで、ロールホルダー３０の隙間３５を通って下方に垂れ下がるように構成される。一方、静電シート部２２をペーパー４２と共にロールホルダー３０の隙間３５に下方から差し込むことで、ペーパー４２を簡単に隙間３５に通して用具本体１０の基板部１１上に導いてセットすることができる。
静電シート部２２は静電気を帯び易いプラスチックシートを用いることができる。
【００２４】
図５、図６も参照して、用具本体１０と補助具２０のロールホルダー３０へのセットの仕方を説明する。
先ず補助体２０を用いて、静電シート部２２をロールホルダー３０の隙間３５から下方に挿通すると共に、頭部２１を壁面Ｗに沿わせるようにして、一対の脚２１ａ、２１ａでロールホルダー３０の上に載置する（図５）。
次に、剥離紙を捲って、用具本体１０の基板部１１の裏面の粘着剤を露出させる。
粘着剤を露出させた基板部１１を補助体２０に当接させた状態にして位置決めし、その状態でロールホルダー３０の蓋３２と粘着させ、基板部１１の蓋３２への取り付けを完了する。
蓋３２と一体になされた基板部１１は、その一対の脚部１２、１２で、ロールホルダー３０の両側壁３１、３１の上面に着座した状態となる。このとき基板部１１の後端部は、ロールホルダー３０の隙間３５よりも少し前方位置となる。これによりペーパー４２が、隙間３５から繰り出されるのを妨げることなく、且つスムーズに基板部１１上に導かれることができる。
またロールホルダー３０の蓋３２は、基板部１１の脚部１２の高さに相当する分だけ側壁３１より上方に回動退避した位置に位置固定される。これにより蓋３２が、ロール４１の取り付けの際に邪魔とならず、またペーパー４２の繰り出しの邪魔とならないようにすることができる。
【００２５】
図７〜図１０も参照して、実施形態に係るロールペーパー繰出し切断用具の使用の仕方を説明する。
先ず図７を参照して、補助体２０を用いて、ロール４１からのペーパー４２を静電シート部２２の先端に引っ掛けて、ロールホルダー３０の隙間３５（図４参照）から上方に通す。
次に図８を参照して、ロールホルダー３０の隙間から上方に通したペーパー４２を前方に引っ張って、用具本体１０の基板部１１上に導く。そして補助体２０を用具本体１０の後、壁面Ｗとの間に載置し、静電シート部２２をロールホルダー３０の隙間３５から下方に通して垂下させる。
以上で使用の準備が整う。この時点で、静電シート部２２はロール４１から繰り出され、上方に向かうペーパー４２の直ぐ背後に位置することになる。
【００２６】
図８を参照して、今、使用者がペーパー４２の先端付近を把持して前方へ引き出し操作すると、ペーパー４２は先ず補助体２０の静電シート部２２に静電接触しながら繰り出される。更にペーパー４２は用具本体１０上において、第１支持部１４と第２支持部１５との２ヶ所で下から接触支持されながら移動する。
ペーパー４２は静電シート部２２に静電接触しながら繰り出されることで、そのペーパー４２の急激で過剰な繰り出しが制動される。即ち、静電シート部２２との静電接触により、ペーパー４２が急激に且つ過剰に繰り出されるといったことが防止される。また一旦ロール４１から繰り出されたペーパー４２が、元に繰り戻ってしまう不都合も前記静電シート部２２との静電接触によって防止される。
またペーパー４２は用具本体１０の基板部１１の後部にある第１支持部１４により先ず下方から幅方向に亘って支持され、更に前部にある第２支持部１５により下方から幅方向に亘って支持された２点支持状態となって、ペーパー４２を安定した水平姿勢状態に保持することができる。そして安定した状態でペーパー４２を前方の切断歯部１３に供給することができる。よって切断歯部１３での切断が安定し、良好に行うことが可能となる。
また第１支持部１４の頭部１４ａを摩擦材で構成することで、前記静電シート部２２による作用効果に加えて、使用者がペーパー４２を強く引っ張った場合においても、ペーパー４２の急激な繰り出しにブレーキがかけられ、適度な量の繰り出しを一層確実に保証することができる。
【００２７】
図９を参照して、ペーパー４２の切断は、用具本体１０の切断歯部１３の前方まで引き出したペーパー４２を斜め下方に向けて引っ張ることで行うことができる。ペーパー４２を斜め下方に引っ張ると、切断歯部１３にペーパー４２が確実に噛み込み、滑ることなく切断に至る。
第２支持部１５と切断歯部１３は蓋３２に粘着されることなく浮き上がったカンチレバー状態にあり、切断時にペーパー４２を下方に引っ張ると基板部１１が持つ弾性によりそれぞれ下方に傾く。これによりペーパー４２は、第２支持部１５の地点でも屈曲した状態となって滑りが悪くなり、切断歯部１３での容易な切断を許す。
図１０を参照して、切断が終了すると、前記カンチレバー状態にある切断歯部１３と第２支持部１５は元の位置に弾性復帰する。これにより切断歯部１３と第２支持部１５との間でのペーパー４２の緊張度が緩み、切断されて残ったペーパー４２の先端が切断歯１３上に残り、後退するのが防止される。
特に、切断歯部１３を櫛歯状歯列とすることで、切断されて残ったペーパー４２の先端部が切断歯部１３に残り易くなり、よって残ったペーパー４２が後方に後退するのを一層防止することができる。
ペーパー４２が後退することなく切断歯部１３から後方へと続いて残ることで、次の使用者は、切断歯部１３から第２支持部１５上に残るペーパー４２を上から掴むことで、ペーパー４２以外のものには何ら触れることなく、しかも片手で、そのまま前方へ引き出して切断に供することができる。
【産業上の利用可能性】
【００２８】
本考案のロールペーパー繰出し切断用具は、トイレ等のロールホルダーに取り付けることにより、ロールホルダー等に触れることなく、片手でペーパーを繰り出し、切断できる用具として、産業上の利用可能性がある。
【符号の説明】
【００２９】
１０        用具本体
１１        基板部
１２        脚部
１３        切断歯部
１４        第１支持部
１４ａ      頭部
１５        第２支持部
２０        補助体
２１        頭部
２１ａ      脚
２１ｂ      把持部
２２        静電シート部
３０        ロールホルダー
３１        側壁
３２        蓋
３３        ロール掛け
３４        背壁
３５        隙間
４０        ロールペーパー
４１        ロール
４２        ペーパー
【図１】
0003233152.tif 000003
【図２】
0003233152.tif 000004
【図３】
0003233152.tif 000005
【図４】
0003233152.tif 000006
【図５】
0003233152.tif 000007
【図６】
0003233152.tif 000008
【図７】
0003233152.tif 000009
【図８】
0003233152.tif 000010
【図９】
0003233152.tif 000011
【図１０】
0003233152.tif 000012